(57)【要約】      （修正有）【課題】コンベアチェーンの連結部に挿通された連結ピンを着脱に最適な位置に保持して、１人で簡単に作業できるコンベアチェーン用治具を提供する。【解決手段】コンベアチェーン用治具は、ガイド溝８０の開口部８１に沿ってセットされる底面プレート部１１と、底面プレート部１１の片側に略垂直姿勢で連結される支持プレート部１２と、底面プレート部１１の上面に突出して設けられる複数の固定爪と、底面プレート部１１をガイド溝８０の定位置に配置する位置決め手段１４と、底面プレート部１１の定位置に配置されるコンベアチェーン９０の連結ピン９４に対向して支持プレート部１２に開口される貫通穴とを備える。コンベアチェーン用治具は、底面プレート部１１がガイド溝８０の定位置に配置されて、底面プレート部１１の上面に配置されるコンベアチェーン９０が固定爪で定位置に保持される状態で、連結ピン９４を支持プレート部１２に向かって押圧して着脱する。【選択図】図３
0003162509.tif 000002
【実用新案登録請求の範囲】
【請求項１】
両端に連結部(93)を設けたリンクパーツ(91)同士を連結ピン(94)で互いに連結して、多数のリンクパーツ(91)を直線状に連結してなるコンベアチェーン(90)の連結ピン(94)の着脱に使用するコンベアチェーン用治具であって、
コンベアチェーン(90)が移送されるガイド溝(80)の開口部(81)に沿ってセットされて、コンベアチェーン(90)が上面に配置される底面プレート部(11)と、
前記底面プレート部(11)の片側に略垂直姿勢で連結されて、前記ガイド溝(80)の一方の開口縁(82)に沿って配設される支持プレート部(12)と、
前記底面プレート部(11)の上面に突出して設けられて、前記底面プレート部(11)の上面に配置されるコンベアチェーン(90)を定位置に保持する複数の固定爪(13)と、
前記底面プレート部(11)をガイド溝(80)の定位置に配置する位置決め手段(14)と、
前記底面プレート部(11)の定位置に配置されるコンベアチェーン(90)の連結ピン(94)に対向して支持プレート部(12)に開口される、連結ピン(94)を通過できる大きさの貫通穴(15)とを備え、
前記底面プレート部(11)が前記位置決め手段(14)を介してガイド溝(80)の定位置に配置されて、前記底面プレート部(11)の上面に配置されるコンベアチェーン(90)が前記固定爪(13)で定位置に保持される状態で、前記連結ピン(94)を前記支持プレート部(12)に向かって押圧して着脱するようにしてなるコンベアチェーン用治具
【請求項２】
請求項１に記載のコンベアチェーン用治具において、
前記固定爪(13)が、コンベアチェーン(90)の延長方向に離して一対設けられており、一対の固定爪(13)が、前記底面プレート部(11)の上面に配置されるコンベアチェーン(90)の複数のリンクパーツ(91)の連結部(93)に跨って連結されることを特徴とするコンベアチェーン用治具
【請求項３】
請求項２に記載のコンベアチェーン用治具において、
前記一対の固定爪(13)が、先端に向かって互いに接近する傾斜姿勢または湾曲姿勢で設けられてなることを特徴とするコンベアチェーン用治具。
【請求項４】
請求項２に記載のコンベアチェーン用治具において、
前記一対の固定爪(13)が、隣接する３個のリンクパーツ(91)の連結部(93)に跨って連結されることを特徴とするコンベアチェーン用治具。
【請求項５】
請求項１ないし４のいずれか一に記載のコンベアチェーン用治具において、
前記位置決め手段(14)が、前記底面プレート部(11)の下面から突出する凸部(14A;14B;14C;14D)であることを特徴とするコンベアチェーン用治具。
【請求項６】
請求項１ないし５のいずれか一に記載のコンベアチェーン用治具において、
前記貫通穴(15)が、前記支持プレート部(12)に複数開口されてなることを特徴とするコンベアチェーン用治具。
【請求項７】
請求項１ないし６のいずれか一に記載のコンベアチェーン用治具において、
前記複数の固定爪(13)が間隔を調整できる間隔調整機構(30)を介して前記底面プレート部(11)に固定されてなることを特徴とするコンベアチェーン用治具。
【請求項８】
請求項１ないし７のいずれか一に記載のコンベアチェーン用治具において、
前記複数の固定爪(13)が、前記支持プレート部(12)との隙間を調整できる隙間調整機構(40)を介して前記底面プレート部(11)に固定されてなることを特徴とするコンベアチェーン用治具。
【請求項９】
請求項１ないし８のいずれか一に記載のコンベアチェーン用治具において、
前記底面プレート部(11)と前記支持プレート部(12)が、２枚の金属板(21;22;23;24;25;26)を互いに略垂直に固定して設けられてなることを特徴とするコンベアチェーン用治具。
【考案の詳細な説明】
【技術分野】
【０００１】
本考案は、工場の生産ライン等において使用されるコンベア装置のコンベアチェーンの連結部に挿通される連結ピンを着脱するのに使用するコンベアチェーン用治具に関する。
【背景技術】
【０００２】
工場の生産ラインにおいて、材料や製品等の搬送には、一般にコンベアチェーンが使用されている。このコンベアチェーンは、両端に連結部を有するリンクパーツ同士を連結ピンで連結して、多数のリンクパーツを直線状に連結している。多数のリンクパーツが直線状に連結されたコンベアチェーンは、両端を互いに連結して全体の形状を無端軌道状としている。無端軌道状に連結されたコンベアチェーン９０は、図１に示すように、一方の直線部がガイド溝８０に配置されると共に、少なくとも２個のスプロケット（図示せず）で駆動され、ガイド溝８０に沿って移動されて、上面に載せられる物品を搬送する。
【０００３】
以上のコンベアチェーンは、定期検査で新しいものに交換され、あるいは取り外して清掃され、あるいはまた、修理等のメンテナンス作業において、破損したリンクパーツが新しいものに交換される。コンベアチェーンやリンクパーツの交換作業は、従来は２人で行っている。この作業は、ガイド溝から取り出したコンベアチェーンを１人が手で押さえて保持し、もう１人がピンポンチとハンマーを使用して連結ピンを叩いて連結部から抜き取っている。このため、コンベアチェーンの取り外し時や取り付け時には２人で作業しなければならず、効率が悪く、時間の無駄が生じている。また、この作業は、非常に狭い場所で行われることが多く、ピンパンチとハンマーを使用して作業するため手をけがすることもあり危険を伴っているのが実情である。
【０００４】
このような問題点を解決するために、コンベアチェーンの連結部に挿通される連結ピンを着脱するためのコンベアチェーン用治具が開発されている（特許文献１参照）。
特許文献１に記載されるコンベアチェーン用治具は、進退可能な押しピン部を有する治具本体と、この治具本体に設けられて、コンベアチェーンの連結部と押しピン部との位置を合わせる連結部嵌合台とを備えている。このコンベアチェーン用治具は、治具本体に設けた連結部嵌合台にコンベアチェーンの連結部を嵌合させると、連結部の連結穴と治具本体の押しピン部の位置を自動的に合わせることができ、この状態で押しピン部を前進させて連結ピンを連結部の連結穴から抜き出すようにしている。
【先行技術文献】
【特許文献】
【０００５】
【特許文献１】特開２０００−１９８０８３号公報
【考案の概要】
【考案が解決しようとする課題】
【０００６】
このコンベアチェーン用治具は、連結ピンを押しピン部で押し出すために、連結ピンの延長線上に押しピン部を設けているので、全体の構造が極めて複雑で製造コストが高くなる欠点がある。さらに、連結ピンの延長線上にロッド状の押しピン部を設けているので、治具本体の全長、とくに、連結ピンの軸方向における全長が長くなる欠点がある。連結ピンの軸方向は、直線状に連結されるコンベアチェーンの延長方向と交差する方向であって、この方向には、搬送される物品を正しく移送するためのガイド壁が設けられ、あるいは、複数列のコンベアチェーンが並んで配設されることもあって、広いスペースを確保するのが難しい場合が多い。このため、狭いスペースに長い治具本体を配置するのは極めて困難で、必ずしも全てのコンベア装置に便利に使用できない。
【０００７】
さらに、このコンベアチェーン用治具は、連結部嵌合台にコンベアチェーンの連結部を正確に嵌合させた状態に治具本体を保持しながら、押しピン部を前進させて連結ピンを押圧するので、短時間で連結ピンを着脱できない欠点もある。また、連結部嵌合台にコンベアチェーンの連結部を正確に嵌合させた状態で、治具本体を安定して支持するのが難しい問題点もある。連結ピンを抜き取る作業中に治具本体のバランスが崩れると、連結部嵌合台からコンベアチェーンの連結部が脱落し、連結部の連結ピンと押しピン部の位置がずれて、押しピン部で連結ピンを抜き出しできなくなってしまう。
【０００８】
本考案は、さらに以上の欠点を解決することを目的に考案されたものである。本考案の重要な目的は、コンベアチェーンの連結部に挿通された連結ピンを着脱に最適な位置に保持して、１人で簡単に作業でき、メンテナンスの作業性を向上できるコンベアチェーン用治具を提供することにある。
さらに、本考案の他の大切な目的は、極めて簡単な構造として安価に製造しながら、全体をコンパクトにして、狭い作業スペースにおいても便利に、しかも安全に使用できるコンベアチェーン用治具を提供することにある。
【課題を解決するための手段及び考案の効果】
【０００９】
上記目的を達成するために、本考案の第１の側面に係るコンベアチェーン用治具によれば、両端に連結部９３を設けたリンクパーツ９１同士を連結ピン９４で互いに連結して、多数のリンクパーツ９１を直線状に連結してなるコンベアチェーン９０の連結ピン９４の着脱に使用するコンベアチェーン用治具であって、コンベアチェーン９０が移送されるガイド溝８０の開口部８１に沿ってセットされて、コンベアチェーン９０が上面に配置される底面プレート部１１と、前記底面プレート部１１の片側に略垂直姿勢で連結されて、前記ガイド溝８０の一方の開口縁８２に沿って配設される支持プレート部１２と、前記底面プレート部１１の上面に突出して設けられて、前記底面プレート部１１の上面に配置されるコンベアチェーン９０を定位置に保持する複数の固定爪１３と、前記底面プレート部１１をガイド溝８０の定位置に配置する位置決め手段１４と、前記底面プレート部１１の定位置に配置されるコンベアチェーン９０の連結ピン９４に対向して支持プレート部１２に開口される、連結ピン９４を通過できる大きさの貫通穴１５とを備え、前記底面プレート部１１が前記位置決め手段１４を介してガイド溝８０の定位置に配置されて、前記底面プレート部１１の上面に配置されるコンベアチェーン９０が前記固定爪１３で定位置に保持される状態で、前記連結ピン９４を前記支持プレート部１２に向かって押圧して着脱することができる。これにより、ガイド溝８０に配置される底面プレート部１１の上面の定位置にコンベアチェーン９０を保持して、連結部９３に挿通された連結ピン９４を着脱に最適な位置として、１人で簡単かつ容易に連結ピン９４を着脱して、メンテナンスの作業性を向上できる。さらに、コンベアチェーン用治具を極めて簡単な構造として安価に製造できると共に、全体をコンパクトにすることで、狭い作業スペースにおいても便利に、しかも安全に使用できる。
【００１０】
また、第２の側面に係るコンベアチェーン用治具によれば、前記固定爪１３を、コンベアチェーン９０の延長方向に離して一対を設けることができ、一対の固定爪１３を、前記底面プレート部１１の上面に配置されるコンベアチェーン９０の複数のリンクパーツ９１の連結部９３に跨って連結することができる。
【００１１】
さらに、第３の側面に係るコンベアチェーン用治具によれば、前記一対の固定爪１３を、先端に向かって互いに接近する傾斜姿勢または湾曲姿勢とすることができる。これにより、複数のリンクパーツ９１の連結部９３を一対の固定爪１３で確実に保持できる。
【００１２】
さらに、第４の側面に係るコンベアチェーン用治具によれば、前記一対の固定爪１３を、隣接する３個のリンクパーツ９１の連結部９３に跨って連結することができる。
【００１３】
さらに、第５の側面に係るコンベアチェーン用治具によれば、前記位置決め手段１４を、前記底面プレート部１１の下面から突出する凸部１４Ａ、１４Ｂ、１４Ｃ、１４Ｄとすることができる。これにより、極めて簡単な構造としながら、底面プレート部１１をガイド溝８０の定位置に位置決めできる。
【００１４】
さらに、第６の側面に係るコンベアチェーン用治具によれば、前記貫通穴１５を、前記支持プレート部１２に複数開口することができる。
【００１５】
さらに、第７の側面に係るコンベアチェーン用治具によれば、前記複数の固定爪１３を、間隔を調整できる間隔調整機構を介して前記底面プレート部１１に固定することができる。これにより、コンベアチェーン９０の種類やサイズに応じて、複数の固定爪１３の間隔を最適な間隔に調整できる。
【００１６】
さらに、第８の側面に係るコンベアチェーン用治具によれば、前記複数の固定爪１３を、前記支持プレートとの隙間を調整できる隙間調整機構を介して前記底面プレート部１１に固定することができる。これにより、コンベアチェーン９０の種類やサイズに応じて、固定爪１３と支持プレート部１２との間隔を最適な間隔に調整できる。
【００１７】
さらに、第９の側面に係るコンベアチェーン用治具によれば、前記底面プレート部１１と前記支持プレート部１２とを、２枚の金属板２１、２２、２３、２４、２５、２６を互いに略垂直に固定して設けることができる。
【図面の簡単な説明】
【００１８】
【図１】コンベアチェーンの一例を示す断面斜視図である。
【図２】図１に示すコンベアチェーンの分解斜視図である。
【図３】本考案の一実施例にかかるコンベアチェーン用治具の使用例を示す斜視図である。
【図４】図３に示すコンベアチェーン用治具の使用状態を示す水平断面図である。
【図５】本考案の一実施例にかかるコンベアチェーン用治具の斜視図である。
【図６】図５に示すコンベアチェーン用治具の正面図である。
【図７】図５に示すコンベアチェーン用治具の側面図である。
【図８】本考案の他の実施例にかかるコンベアチェーン用治具の側面図である。
【図９】本考案の他の実施例にかかるコンベアチェーン用治具の側面図である。
【図１０】本考案の他の実施例にかかるコンベアチェーン用治具の側面図である。
【図１１】本考案の他の実施例にかかるコンベアチェーン用治具の斜視図である。
【図１２】本考案の他の実施例にかかるコンベアチェーン用治具の分解斜視図である。
【図１３】本考案の他の実施例にかかるコンベアチェーン用治具の分解斜視図図である。
【考案を実施するための形態】
【００１９】
以下、本考案の実施の一形態を図面に基づいて説明する。ただし、以下に示す実施の形態は、本考案の技術思想を具体化するためのコンベアチェーン用治具を例示するものであって、本考案はコンベアチェーン用治具を以下のものに特定しない。なお、実用新案登録請求の範囲に示される部材を、実施の形態の部材に特定するものでは決してない。特に実施の形態に記載されている構成部材の寸法、材質、形状、その相対的配置等は特に特定的な記載がない限りは、本考案の範囲をそれのみに限定する趣旨ではなく、単なる説明例にすぎない。なお、各図面が示す部材の大きさや位置関係等は、説明を明確にするため誇張していることがある。さらに、以下の説明において、同一の名称、符号については同一もしくは同質の部材を示しており、詳細説明を適宜省略する。さらに、本考案を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００２０】
本考案のコンベアチェーン用治具は、工場の生産ライン等で使用されるコンベア装置のコンベアチェーンの取り付けや取り外し等に使用する。このコンベアチェーン用治具を使用してメンテナンスされるコンベアチェーンの一例を図１と図２に示し、本考案のコンベアチェーン用治具を使用して連結ピンを着脱する状態を図３と図４に示す。
【００２１】
これらの図に示すコンベアチェーン９０は、両端に連結部９３を設けたリンクパーツ９１同士を連結ピン９４を介して互いに連結して、多数のリンクパーツ９１を直線状に連結している。図のコンベアチェーン９０は、リンクパーツ９１をプラスチックで成形して、連結ピン９４を金属ロッドとしている。ただ、コンベアチェーンは、リンクパーツを金属製とすることもできる。
【００２２】
図に示すリンクパーツ９１は、上面を平面状とする搬送部９２の両端に連結部９３を設けており、互いに隣接するリンクパーツ９１の連結部９３同士を連結ピン９４で連結して多数のリンクパーツ９１を直線状に連結すると共に、さらに、直線状に連結されるコンベアチェーン９０の両端を連結ピン９４で連結して、全体の形状を無端軌道状としている。無端軌道状に連結されたコンベアチェーン９０は、図示しないが、少なくとも２つのスプロケットにかけられると共に、回転するスプロケットを介して駆動されて移動し、搬送部９２の上面で物品を移送する。コンベアチェーン９０は、搬送部９２の上面に載せられる物品を正しく移送するために、コンベアチェーン９０に沿って設けられたガイド溝８０に配置されて、このガイド溝８０に沿って正しい軌道で移送される。
【００２３】
図に示すリンクパーツ９１は、搬送部９２の両端に連結部９３を設けている。図のリンクパーツ９１は、第１の端部の中央部に連結ピン９４を貫通させる筒状の第１連結部９３Ａを一体成形して設けると共に、第２の端部の両側に位置して、連結ピン９４を貫通させる板状の第２連結部９３Ｂを一体成形して設けている。一対の第２連結部９３Ｂは、隣接して配置されるリンクパーツ９１の第１連結部９３Ａを間に案内できる間隔としている。互いに隣接するリンクパーツ９１同士は、一方のリンクパーツ９１の第１連結部９３Ａの両側に、他方のリンクパーツ９１の第２連結部９３Ｂを案内する状態で第２連結部９３Ｂと第１連結部９３Ａに設けた挿通穴９５に連結ピン９４を挿入して、互いに連結している。ここで、第１連結部９３Ａの挿通穴９５の内径は連結ピン９４の外形よりも大きくしており、リンクパーツ９１同士を連結する状態で第１連結部９３Ａを連結ピン９４に対して回動できるようにしている。第２連結部９３Ｂは、連結ピン９４が抜けないようにするために、挿通穴９５に連結ピン９４の端部を圧入している。連結ピン９４を第２連結部９３Ｂに圧入するために、連結ピン９４の一方の端部を太く成形して圧入部を設け、あるいは、第２連結部９３Ｂに開口する挿通穴９５の内径を連結ピン９４の外径とほぼ等しくし、あるいはやや小さくしている。以上のコンベアチェーン９０は、連結ピン９４を連結部９３の挿入穴９５に圧入し、あるいは、圧入された連結ピン９４を抜き取る着脱時において、図３に示すように、連結ピン９４の一端にピンポンチ７１の一端を押し当てて、ピンポンチ７１の他端をハンマー７２等で叩いて着脱される。
【００２４】
本考案のコンベアチェーン用治具は、リンクパーツ９１から連結ピン９４を着脱する際に、コンベアチェーン９０をガイド溝８０の定位置に安定して保持し、１人で簡単に連結ピン９４を着脱できるようにしたものである。以下、本考案のコンベアチェーン用治具について詳述する。
【００２５】
図３ないし図７に示すコンベアチェーン用治具は、コンベアチェーン９０が移送されるガイド溝８０の開口部８１に沿ってセットされて、コンベアチェーン９０を上面に配置する底面プレート部１１と、この底面プレート部１１の片側に垂直姿勢で連結されて、ガイド溝８０の一方の開口縁８２に沿って配設される支持プレート部１２と、底面プレート部１１の上面に突出して設けられて、底面プレート部１１の上面に配置されるコンベアチェーン９０を定位置に保持する複数の固定爪１３と、底面プレート部１１をガイド溝８０の定位置に配置する位置決め手段１４と、底面プレート部１１の定位置に配置されるコンベアチェーン９０の連結ピン９４に対向して支持プレート部１２に開口される、連結ピン９４を通過できる大きさの貫通穴１５とを備えている、
【００２６】
底面プレート部１１は、ガイド溝８０から引き上げたコンベアチェーン９０の下に挿入されて、ガイド溝８０の開口部８１を橋渡しするように配置される。したがって、底面プレート部１１の横幅（Ｗ）は、図７に示すように、ガイド溝８０の開口幅（Ｈ）よりも広くしている。底面プレート部１１の横幅（Ｗ）は、好ましくは、ガイド溝８０の開口幅（Ｈ）の１．１〜３倍、好ましくは１．２〜２倍とする。底面プレート部１１の横幅（Ｗ）を広くすると、ガイド溝８０の開口部８１を確実に橋渡しして、安定して保持できる特徴がある。ただ、底面プレート部１１の横幅（Ｗ）を広くしすぎると、全体をコンパクトにできなくなる。反対に底面プレート部１１の横幅（Ｗ）を狭くすると、全体をコンパクトにして狭いスペース、例えば、複数のガイド溝８０が隣接して設けられた装置においても便利にセットできる。したがって、底面プレート部１１は、これらのことを考慮して前述の範囲とする。
【００２７】
さらに、底面プレート部１１は、その全長（Ｌ）を長くして、上面に配置できるコンベアチェーン９０を長くして安定して保持できる。ただ、底面プレート部１１の全長（Ｌ）が長すぎると、全体が大きくなってコンパクトにできなくなる。したがって、底面プレート部１１の全長（Ｌ）は、例えば、コンベアチェーン９０を構成するリンクパーツ９１を２個〜５個配置できるように、リンクパーツ９１の全長の２〜５倍とすることができる。ただ、底面プレート部１１の全長（Ｌ）は、底面プレート部１１に設けられる固定爪１３の個数や間隔に応じて種々に変更することができる。
【００２８】
底面プレート部１１は、底面プレート部１１の上面に配置されるコンベアチェーン９０を定位置に保持するために、上面から突出する複数の固定爪１３を設けている。図の底面プレート部１１は、一対の固定爪１３をコンベアチェーン９０の延長方向に離して設けている。一対の固定爪１３は、底面プレート部１１の上面に配置されるコンベアチェーン９０の複数のリンクパーツ９１の連結部９３に跨って連結されて、コンベアチェーン９０を定位置に保持する。ただ、底面プレート部は、３個以上の固定爪、例えば、４個の固定爪を２個ずつに分割して、コンベアチェーンの延長方向に離して設設けることもできる。
【００２９】
底面プレート部１１に設ける一対の固定爪１３の間隔（ｄ）は、底面プレート部１１に配置されるコンベアチェーン９０のリンクパーツ９１の個数によって変更する。たとえば、図４に示すように、一対の固定爪１３が隣接する３個のリンクパーツ９１の連結部９３に跨って連結される場合は、一対の固定爪１３の間隔（ｄ）を、３個のリンクパーツ９１の連結部９３の最も外側の間隔と等しくする。このように、一対の固定爪１３を、隣接する３個のリンクパーツ９１の連結部９３に跨って連結するコンベアチェーン用治具は、３箇所の連結部９３を定位置に配置できるので、同時に複数の連結ピン９４を着脱できる。ただ、一対の固定爪は、隣接する２個のリンクパーツの連結部に跨って連結することも、４個以上のリンクパーツの連結部に跨って連結することもできる。
【００３０】
一対の固定爪１３の間隔（ｄ）は、好ましくは、複数のリンクパーツ９１の連結部９３を遊び無く保持できるようにする。それは、底面プレート部１１に配置される複数のリンクパーツ９１の連結部９３を固定爪１３で確実に挟着して保持するためである。とくに、複数のリンクパーツ９１の連結部９３を遊び無く保持する構造は、連結ピン９４で連結される連結部９３同士が、互いに離れる方向に引っ張られることなく、連結ピン９４で連結される第１連結部９３Ａと第２連結部９３Ｂの挿通穴９５を同じ位置として、連結ピン９４の着脱を楽にできる。
【００３１】
さらに、図に示すコンベアチェーン用治具は、底面プレート部１１の上面から突出する一対の固定爪１３を、先端に向かって互いに接近する傾斜姿勢としている。この形状の固定爪１３は、先端に向かってその間隔が狭くなるので、ここにセットされるコンベアチェーン９０の連結部９３を両側から挟着して、外れないように保持できる。ただ、図示しないが、固定爪は、先端に向かって互いに接近する湾曲姿勢として、連結部を外れないように保持することもできる。
【００３２】
さらに、コンベアチェーン用治具は、底面プレート部１１をガイド溝８０の定位置に配置する位置決め手段１４を備えている。図に示すコンベアチェーン用治具は、底面プレート部１１の下面から突出する凸部１４Ａを設けて位置決め手段１４としている。この凸部１４Ａは、ガイド溝８０の開口縁８２に沿って配置されており、ガイド溝８０の開口部８１に底面プレート部１１を配置する状態で、ガイド溝８０の開口縁８２に当接して底面プレート部１１を定位置に保持する。凸部１４Ａである位置決め手段１４は、ガイド溝８０の開口縁８２に当接する垂直面１４Ｘを、支持プレート部１２の対向面１２Ｘと同一平面となるように設けている。底面プレート部１１の上面に配置されるコンベアチェーン９０の側面を支持プレート部１２の対向面１２Ｘに当接させて、コンベアチェーン９０の側面を支持プレート部１２で支持するためである。ただ、位置決め手段は、凸部の垂直面と支持プレート部の対向面とを同一平面から多少ずれる姿勢で配置することもできる。
【００３３】
図５ないし図７に示す底面プレート部１１は、角柱状の金属ブロックを開口縁８２に沿って下面に固定して凸部１４Ａを設けている。図のコンベアチェーン用治具は、金属ブロックを底面プレート部１１の片側（図７において左側）に配設している。この構造は、金属ブロックを片側に偏在させることで、全体の重量を軽くしながら、凸部１４Ａの垂直面１４Ｘを支持プレート部１２の対向面１２Ｘと同一平面に配置している。ただ、底面プレート部１１の底面に設ける凸部１４Ａは、図８に示すように、ガイド溝８０の開口部８１のほぼ全体にわたって設けることもできる。このコンベアチェーン用治具は、底面プレート部１１をガイド溝８０に配置する状態で、底面プレート部１１が図において左右方向に位置ずれするのを確実に防止できる。以上のコンベアチェーン用治具は、底面プレート部１１の下面に設けた凸部１４Ａを位置決め手段１４としているが、位置決め手段は、必ずしも凸部とする必要はなく、底面プレート部をガイド溝の開口部の定位置に配置する他の全ての機構が使用できる。
【００３４】
支持プレート部１２は、底面プレート部１１の片側に略垂直姿勢で連結されて、ガイド溝８０の一方の開口縁８２に沿って配設している。ガイド溝８０の一方の開口縁８２に沿って配置される支持プレート部１２は、コンベアチェーン９０の側面と対向する対向面１２Ｘをガイド溝８０の一方の内面と同一平面となるように配置している。支持プレート部１２は、底面プレート部１１からの突出高さ（ｈ）をコンベアチェーン９０の高さよりも大きくしている。これにより、底面プレート部１１に配置されるコンベアチェーン９０の側面全体を、支持プレート部１２の対向面１２Ｘで支持できる。
【００３５】
さらに、支持プレート部１２は、底面プレート部１１の定位置に配置されるコンベアチェーン９０の連結ピン９４に対向する位置に、すなわち、連結部９３に開口された挿通穴９５と対向する位置に、連結ピン９４を通過させる貫通穴１５を開口している。図に示すコンベアチェーン用治具は、３箇所の連結部９３を底面プレート部１１の上面に配置するので、支持プレート部１２には、３個の貫通穴１５を等間隔で開口している。それぞれの貫通穴１５は、連結ピン９４を通過できる大きさとしている。図の支持プレート部１２は、円形の貫通穴１５を開口しているが、貫通穴は多角形状とすることもできる。さらに、支持プレート部は、コンベアチェーンの延長方向に延びるスリット状の長穴を開口して貫通穴とすることもできる。この支持プレート部は、ひとつの長穴を複数の連結ピンに対向して設けることができる。
【００３６】
図５ないし図７に示すコンベアチェーン用治具は、２枚の金属板２１、２２を互いに垂直に固定して底面プレート部１１と支持プレート部１２とを設けている。この構造のコンベアチェーン用治具は、極めて簡単に底面プレート部１１と支持プレート部１２とを設けることができる。さらに、コンベアチェーン用治具は、図８に示すように、底面プレート部１１を構成する金属板２３の上面に、垂直に金属板２４を固定して支持プレート部１２を設けることもできる。この構造は、底面プレート部１１の横幅（Ｗ）を大きくして、ガイド溝８０の開口部８１を確実に橋渡しできる特徴がある。
【００３７】
さらに、コンベアチェーン用治具は、図９に示すように、Ｌ字状に折曲してなる２枚の金属板２５、２６を互いに連結して底面プレート部１１と支持プレート部１２を設けることもできる。図のコンベアチェーン用治具は、一方の金属板２５の本体部２５Ａを水平姿勢として折曲部２５Ｂを下向きとすると共に、他方の金属板２６の折曲部２６Ａを水平姿勢として本体部２６Ｂを垂直姿勢として、一方の金属板２５の折曲部２５Ｂと他方の金属板２６の本体部２６Ｂとが外接するように連結している。一方の金属板２５の本体部２５Ａと、他方の金属板２６の折曲部２６Ａは、互いに同一平面状に連結されて底面プレート部１１を構成している。さらに、底面プレート部１１から上方に突出する本体部２６Ｂを支持プレート部１２とし、底面プレート部１１から下方に突出する折曲部２５Ｂを位置決め手段１４を構成する凸部１４Ｃとしている。この構造は、２枚の金属板２５、２６で構成される支持プレート部１２の対向面１２Ｘと、凸部１４Ｃの垂直面１４Ｘとを確実に同一平面上に配置できる。
【００３８】
以上のコンベアチェーン用治具は、底面プレート部１１と背面プレート部１２とを別部材として互いに連結して固定している。ただ、コンベアチェーン用治具は、図１０に示すように、底面プレート部１１と背面プレート部１２とを一体的に成形することもできる。この、コンベアチェーン用治具は、１枚の金属板２７をＬ字状に折曲して、本体部２７Ａで底面プレート部１１を構成し、折曲部２７Ｂで背面プレート部１２を構成することができる。さらに、この図に示すコンベアチェーン用治具は、底面プレート部１１の下面に下方から止ネジ１６をねじ込んで凸部１４Ｄである位置決め手段１４を設けている。このコンベアチェーン用治具は、支持プレート部１２に沿って複数個の止ネジ１６を底面プレート部１１にねじ込んで、これらの止ネジ１６の頭部の共通接線を含む外側面を垂直面１４Ｘとして、支持プレート部の対向面と同一平面上に配置している。この構造は、極めて簡単に底面プレート部１１の下面に凸部１４Ｄを設けることができる。
【００３９】
以上のコンベアチェーン用治具は、底面プレート部１１に設ける複数の固定爪１３を底面プレート部１１に固定している。ただ、コンベアチェーン用治具は、図１１ないし図１３に示すように、複数の固定爪１３を、間隔を調整できる間隔調整機構３０を介して底面プレート部１１に固定することができ、また、複数の固定爪１３を、支持プレート部１２との隙間を調整できる隙間調整機構４０を介して底面プレート部１１に固定することもできる。
【００４０】
図１１に示すコンベアチェーン用治具は、底面プレート部１１の上面に一対の固定爪１３を脱着自在に連結している。このコンベアチェーン用治具は、一対の固定爪１３の間隔を調整できる間隔調整機構３０として、底面プレート部１１にコンベアチェーン９０の延長方向に延びる２列のスリット１８を同一直線上に設けている。この間隔調整機構３０は、各々のスリット１８に沿って固定爪１３を移動させながら、止ネジ１７を介して固定爪１３のスライド片１３Ａを底面プレート部１１に固定して、一対の固定爪１３の間隔を自由に変更できるようにしている。固定爪１３のスライド片１３Ａにねじ込まれる止ネジ１７は、底面プレート部１１の下面においてナット（図示せず）にねじ込まれてスライド片１３Ａを所定の位置に固定する。さらに、このコンベアチェーン用治具は、固定爪１３と支持プレート部１２との隙間を調整できる隙間調整機構４０として、底面プレート部１１に支持プレート部１２と平行な複数列のスリット１８を設けている。この隙間調整機構４０は、固定爪１３を連結するスリット１８を選択して、固定爪１３と支持プレート部１２との隙間が最適な間隔となるように変更できる。以上の構造のコンベアチェーン用治具は、使用するコンベアチェーン９０の種類やサイズに応じて、一対の固定爪１３の間隔を間隔調整機構３０で調整し、固定爪１３と支持プレート部１２との隙間を隙間調整機構４０で最適な間隔に調整できる。
【００４１】
さらに、図１２と図１３に示すコンベアチェーン用治具は、底面プレート部１１に一対の固定爪１３を脱着自在に連結している。図に示す固定爪１３は、底面プレート部１１に設けた第１スリット３１及び第２スリット３２にスライドさせて脱着できるようにしている。このコンベアチェーン用治具は、一対の固定爪１３の間隔を調整できる間隔調整機構３０として、底面プレート部１１に、支持プレート１２と垂直な方向に延びる複数列の第１スリット３１及び第２スリット３２をコンベアチェーン９０の延長方向に離して設けると共に、これらの第１スリット３１及び第２スリット３２に挿入されるスライドピース３３を備えている。スライドピース３３は、固定爪１３の下端に水平部３４を連結してなる形状で、上下二層に積層された底面プレート部１１の間の挿入隙間３６に水平部３４を挿入すると共に、固定爪１３を第１スリット３１及び第２スリット３２に挿入させて底面プレート部１１に脱着自在に連結できるようにしている。
【００４２】
図に示す間隔調整機構３０は、一方の固定爪１３の位置を特定する第１スリット３１と、他方の固定爪１３の位置を特定する第２スリット３２とをコンベアチェーン９０の延長方向に離して設けている。図に示す第１スリット３１と第２スリット３２は、各々３列ずつのスリットを所定の間隔で設けている。図に示すコンベアチェーン用治具は、第１スリットの間隔（ｔ１）と第２スリットの間隔（ｔ２）とを異なる間隔としており、固定爪１３を挿入する位置を種々に変更することで一対の固定爪１３の間隔を種々に変更できるようにしている。図に示す間隔調整機構３０は、第１スリット３１を構成する第１の内側スリット３１Ａと第１の中間スリット３１Ｂと第１の外側スリット３１Ｃの間隔（ｔ１）を各々３ｍｍとすると共に、第２スリット３２を構成する第２の内側スリット３２Ａと第２の中間スリット３２Ｂと第２の外側スリット３２Ｃの間隔（ｔ２）を各々４ｍｍとしている。この間隔調整機構３０は、第１の内側スリット３１Ａと第２の内側スリット３２Ａとの間隔を２６ｍｍ、第１の外側スリット３１Ｃと第２の外側スリット３２Ｃとの間隔を４０ｍｍとして、固定爪１３を挿入するスリットを種々に変更することで、一対の固定爪１３の間隔を２６ｍｍから４０ｍｍまで１ｍｍ間隔で変更できる。したがって、使用するコンベアチェーン９０の種類やサイズに応じて、一対の固定爪１３の間隔を最適な間隔に調整できる。
【００４３】
さらに、このコンベアチェーン用治具は、固定爪１３と支持プレート部１２との隙間を調整できる隙間調整機構４０として、第１スリット３１及び第２スリット３２に挿入されるスライドピース３３に隙間調整凸部３５を設けている。この隙間調整凸部３５は、固定爪１３の一方の側縁から固定爪１３の幅方向に突出して設けており、第１スリット３１及び第２スリット３２に挿入するスライドピース３３を、図１３に示すように逆向きとすることで、固定爪１３と支持プレート部１２との隙間を、隙間調整凸部３５の長さ（ｓ）だけ広くできるようにしている。したがって、このコンベアチェーン用治具は、使用するコンベアチェーン９０の種類やサイズに応じて、第１スリット３１及び第２スリット３２に挿入するスライドピース３３の向きを反転させて、固定爪１３と支持プレート部１２との隙間を最適な間隔に調整できる。
【００４４】
さらに、コンベアチェーン用治具は、間隔調整機構及び隙間調整機構に設けるスリットの数、長さ、間隔を種々に変更し、あるいは隙間調整凸部の突出長さを種々に変更して間隔調整機構及び隙間調整機構の調整範囲を種々に変更することができる。
【００４５】
以上のコンベアチェーン用治具は、以下のようにして使用する。
［コンベアチェーンから連結ピンを抜き取るとき］
（１）コンベアチェーン９０をガイド溝８０から取り出して持ち上げ、このコンベアチェーン９０の下方にコンベアチェーン用治具を挿入する。底面プレート部１１の下面から突出する凸部１４Ａをガイド溝８０に挿入し、この凸部１４Ａの垂直面１４Ｘをガイド溝８０の開口縁８２に当接させて底面プレート部１１を位置決めする。
（２）コンベアチェーン９０を底面プレート部１１の上面に配置する。このとき、一対の固定爪１３を、複数のリンクパーツ９１の連結部９３に跨って連結する。この状態で、コンベアチェーン９０は、一対の固定爪１３によって定位置に保持される。
（３）底面プレート部１１の定位置に配置された連結ピン９４の一端であって、支持プレート１２の反対側に表出する一端にピンポンチ７１の一端を当てて、ピンポンチ７１をハンマー７２で叩いて連結ピンを支持プレート部１２側に押し出す。
（４）連結部９３から押し出された連結ピン９４を支持プレート部１２の貫通穴１５から抜き取る。この状態でコンベアチェーン用治具は、連結ピン９４が抜き取られた部分で分離可能となる。
さらに、複数の連結ピン９４を抜き取る時は、隣接する連結ピン９４の一端にピンポンチ７１の一端を当てて、ピンポンチ７１をハンマー７２で叩いて連結ピン９４を抜き取る。
【００４６】
［コンベアチェーンに連結ピンを挿入して連結するとき］
（１）コンベアチェーン９０を互いに連結する部分において、ガイド溝８０の開口部８１に底面プレート部１１を配置する。底面プレート部１１の下面から突出する凸部１４Ａをガイド溝８０に挿入し、この凸部１４Ａの垂直面１４Ｘをガイド溝８０の開口縁８２に当接させて底面プレート部１１を位置決めする。
（２）互いに連結されるコンベアチェーン９０の対向する連結部９３を底面プレート部１１の上面に配置して各々の連結部９３を同じ位置とする。
（３）位置決めされて対向する位置にある連結部９３に連結ピン９４を挿入する。
（４）連結ピン９４の後端を直接ハンマー７２で叩いて連結ピン９４を支持プレート部１２側に押し込む。
（５）コンベアチェーン用治具を持ち上げてガイド溝８０から外した後、コンベアチェーン用治具をコンベアチェーン９０から取り外し、コンベアチェーン９０をガイド溝８０に挿入する。
【産業上の利用可能性】
【００４７】
本考案のコンベアチェーン用治具によれば、コンベアチェーンの連結ピンの着脱を１人で簡単に行うことができ、メンテナンスの作業性を向上できる。
【符号の説明】
【００４８】
１１…底面プレート部
１２…支持プレート部              １２Ｘ…対向面
１３…固定爪                      １３Ａ…スライド片
１４…位置決め手段                １４Ａ…凸部
１４Ｂ…凸部
１４Ｃ…凸部
１４Ｄ…凸部
１４Ｘ…垂直面
１５…貫通穴
１６…止ネジ
１７…止ネジ
１８…スリット
２１…金属板
２２…金属板
２３…金属板
２４…金属板
２５…金属板                      ２５Ａ…本体部
２５Ｂ…折曲部
２６…金属板                      ２６Ａ…折曲部
２６Ｂ…本体部
２７…金属板                      ２７Ａ…水平部
２７Ｂ…折曲部
３０…間隔調整機構
３１…第１スリット                ３１Ａ…第１の内側スリット
３１Ｂ…第１の中間スリット
３１Ｃ…第１の外側スリット
３２…第２スリット                ３２Ａ…第２の内側スリット
３２Ｂ…第２の中間スリット
３２Ｃ…第２の外側スリット
３３…スライドピース
３４…水平部
３５…隙間調整凸部
３６…挿入隙間
４０…隙間調整機構
７１…ピンポンチ
７２…ハンマー
８０…ガイド溝
８１…開口部
８２…開口縁
９０…コンベアチェーン
９１…リンクパーツ
９２…搬送部
９３…連結部                      ９３Ａ…第１連結部
９３Ｂ…第２連結部
９４…連結ピン
９５…挿通穴
【図１】
0003162509.tif 000003
【図２】
0003162509.tif 000004
【図３】
0003162509.tif 000005
【図４】
0003162509.tif 000006
【図５】
0003162509.tif 000007
【図６】
0003162509.tif 000008
【図７】
0003162509.tif 000009
【図８】
0003162509.tif 000010
【図９】
0003162509.tif 000011
【図１０】
0003162509.tif 000012
【図１１】
0003162509.tif 000013
【図１２】
0003162509.tif 000014
【図１３】
0003162509.tif 000015